(57)【要約】【課題】パネル部と本体部の開口距離よりも小さいストロークで開閉操作できる換気口を提供することを目的とする。【解決手段】パネル部４の裏面に回動自在に回転体６を設け、回転体６をその内部に回動自在に、かつ前後方向移動自在に支持した回転支持部７を前後方向移動自在に設けた換気口において、回転支持部７の内周面に第１、第２の係合突部１８、２１を設け、回転体６の外周部に、回転支持部７の前後方向の移動にともなって、第１、第２の係合突部１８、２１に係合し、回転体６を前後方向に移動または回転あるいは所定位置に保持する第１、第２の係合凹部２５、３１を設け、回転体６と回転支持部７との係合位置は、パネル部４の全開時が全閉時より回転体６が回転支持部７に対して、パネル部４側に移動した位置となる構成とする。【選択図】図１
2005282985.tif 000002
【特許請求の範囲】
【請求項１】
室内と室外を連通する通風路を形成する筒状の本体部と、前記本体部の前面開口部に前後方向移動自在に配設され、この前面開口部を開閉するパネル部とを有し、前記パネル部の裏面に回動自在に略円柱状の回転体を設け、前記回転体をその内部に回転自在に、かつ前後方向移動自在に支持し、下方に突設するレバーを一体的に設けた回転支持部を前後方向移動自在に設け、前記回転支持部を弾性部材により常に前記パネル部側に移動するように付勢した換気口において、前記回転支持部の内周面に第１の係合突部と第２の係合突部を設け、前記回転体の外周部に、前記レバーを前後方向に移動操作することよる前記回転支持部の前後方向の移動にともなって、前記第１および第２の係合突部に係合し、前記回転体を前後方向に移動または回転あるいは所定位置に保持する係合凹部を設け、前記回転体と前記回転支持部との係合位置は、前記パネル部の前記前面開口部全開時が全閉時より前記回転体が回転支持部に対して、前記パネル部側に移動した位置となることを特徴とする換気口。
【請求項２】
回転支持部は、内筒を水平方向に２分割して、略半円筒状に形成される形状の上部回転支持部と下部回転支持部とからなり、本体部に筒部を設けて、この筒部内に前記下部回転支持部を固定し、前記上部回転支持部を前記下部回転支持部に対し、前後方向移動自在に設けた請求項１記載の換気口。
【請求項３】
筒部は本体部内の通風路の下方に設けた請求項２記載の換気口。
【請求項４】
回転体は、回転支持部によって回動を阻止された連結部材を介して回動自在にパネル部に連結されている請求項１〜３のいずれかに記載の換気口。
【請求項５】
パネル部を連結部材に対し、着脱自在とした請求項４記載の換気口。
【請求項６】
パネル部はレバーを押す操作により、多段階に開閉する請求項１〜５のいずれかに記載の換気口。
【請求項７】
パネル部の開閉動作は、全開、半開、全閉、半開、全開の順になされる請求項６記載の換気口。
【請求項８】
本体部に、レバーを一体的に設けた回転支持部の外周部を囲う前後方向移動自在に係合する第１の遮蔽部とこの第１の遮蔽部と係合する第２の遮蔽部をパネル部に設けた請求項１〜7のいずれかに記載の換気口。
【請求項９】
パネル部と本体部の開口下面に気流遮蔽部を設けた請求１〜7のいずれかに記載の換気口。
【請求項１０】
本体部に、レバーを一体的に設けた回転支持部の外周部を囲う第１の遮蔽部とパネル部と本体部の開口下面に設けた第１の気流遮蔽部を一体にし、パネル部に設けた第２の遮蔽部をパネル部と本体部の開口下部に設けた第２の気流遮蔽部を一体にした請求項８記載の換気口。
【請求項１１】
パネル部の裏面の端部と本体部の前面開口端部を凹凸に嵌合する請求項１〜１０のいずれかに記載の換気口。
【請求項１２】
パネル部に風向板を設けた請求項１から１１のいずれかに記載の換気口。
【請求項１３】
本体部にフィルター取付け部を設けた請求項１から１２のいずれかに記載の換気口。
【発明の詳細な説明】
【技術分野】
【０００１】
本発明は、室内側と室外側を連通するように天井面、壁面に設けられるダクトに装着される換気口に関する。
【背景技術】
【０００２】
近年、建物の高気密化にともない、換気の重要性が高まりつつあり、換気口を設置することが普及してきている。
【０００３】
従来、この種の換気口は、換気口の本体部の室内側開口を開閉するパネル部を設けたものが知られている（例えば、特許文献１参照）。
【０００４】
以下、その構成について図３６を参照にしながら説明する。
【０００５】
図に示すように、室内と室外を連通する換気風路を形成するダクト（図示せず）に嵌挿する筒状で、前部にはフランジ部１０１を設けた本体部１０２と、本体部１０２前面に前後方向移動自在に配設されるグリル部１０３と、グリル部１０３の裏面に連結されるシャフト１０４と、シャフト１０４を抱くように形成され、本体部１０２の筒体１０５に回動自在に設けられるハートカム１０６と、シャフト１０４を常にグリル部１０３側に付勢する弾性部材１０７と、筒体１０５に弾性部材１０７を保持する保持部１０８とからなり、シャフト１０４は、その先端部に設けられたカムガイドピン１０９がハートカム１０６の内周に軸方向に形成されたカム溝１１０に係合し、その係合が所定の位置で係合されることによって、前後方向の位置が保持されていた。
【特許文献１】登録実用新案第３０５９３５６号公報（第８〜１２頁、図１、２，６，７）
【発明の開示】
【発明が解決しようとする課題】
【０００６】
このような従来の換気口の構成では、グリル部１０３と本体部１０２の室内側開口は、グリル部１０３を押す動作によって、グリル部１０３に連結されたシャフト１０４が反グリル部１０３の方向へ移動し、その移動に連動してハートカム１０６が回動し、シャフト１０４とハートカム１０６との係合位置を変えることで、調節していた。
【０００７】
したがって、グリル部１０３と本体部１０２の開口距離が開口調節をするストロークとなり、開口を大きくするにはグリル部１０３を押すストロークも大きくしなければならない課題があった。
【０００８】
本発明は上記課題を解決するもので、開口調節をパネル部と本体部の開口距離よりも小さいストロークで操作できる構造の換気口を提供することを目的とする。
【課題を解決するための手段】
【０００９】
前記従来の課題を解決するために、本発明の換気口は、室内と室外を連通する通風路を形成する筒状の本体部と、前記本体部の前面開口部に前後方向移動自在に配設され、この前面開口部を開閉するパネル部とを有し、前記パネル部の裏面に回動自在に略円柱状の回転体を設け、前記回転体をその内部に回転自在に、かつ前後方向移動自在に支持し、下方に突設するレバーを一体的に設けた回転支持部を前後方向移動自在に設け、前記回転支持部を弾性部材により常に前記パネル部側に移動するように付勢した換気口において、前記回転支持部の内周面に第１の係合突部と第２の係合突部を設け、前記回転体の外周部に、前記レバーを前後方向に移動操作することよる前記回転支持部の前後方向の移動にともなって、前記第１および第２の係合突部に係合し、前記回転体を前後方向に移動または回転あるいは所定位置に保持する係合凹部を設け、前記回転体と前記回転支持部との係合位置は、前記パネル部の前記前面開口部全開時が全閉時より前記回転体が回転支持部に対して、前記パネル部側に移動した位置となることを特徴とする換気口としたものである。
【００１０】
この手段の構成により、開口調節をパネル部と本体部の開口距離よりも小さいストロークで開閉操作できる構造の換気口が得られる。
【００１１】
また、本発明の換気口は、回転支持部は、内筒を水平方向に２分割して、略半円筒状に形成される形状の上部回転支持部と下部回転支持部とからなり、本体部に筒部を設けて、この筒部内に前記下部回転支持部を固定し、前記上部回転支持部を前記下部回転支持部に対し、前後方向移動自在に設けたものである。
【００１２】
また、本発明の換気口は、筒部は本体部内の通風路の下方に設けたものである。
【００１３】
また、本発明の換気口は、回転体は、回転支持部によって回動を阻止された連結部材を介して回動可能にパネル部に連結されているものである。
【００１４】
また、本発明の換気口は、パネル部を連結部材に対し、着脱可能としたものである。
【００１５】
また、本発明の換気口は、パネル部はレバーを押す操作により、多段階に開閉することとしたものである。
【００１６】
また、本発明の換気口は、パネル部の開閉動作は、全開、半開、全閉、半開、全開の順になされるものである。
【００１７】
また、本発明の換気口は、本体部に、レバーを一体的に設けた回転支持部の外周部を囲う前後方向移動自在に係合する第１の遮蔽部とこの第１の遮蔽部と係合する第２の遮蔽部をパネル部に設けたものである。
【００１８】
また、本発明の換気口は、パネル部と本体部の開口下面に気流遮蔽部を設けたものである。
【００１９】
また、本発明の換気口は、本体部に、レバーを一体的に設けた回転支持部の外周部を囲う第１の遮蔽部とパネル部と本体部の開口下面に設けた第１の気流遮蔽部を一体にし、パネル部に設けた第２の遮蔽部をパネル部と本体部の開口下部に設けた第２の気流遮蔽部を一体にしたものである。
【００２０】
また、本発明の換気口は、パネル部の裏面の端部と本体部の前面開口端部を凹凸に嵌合することとしたものである。
【００２１】
また、本発明の換気口は、パネル部に風向板を設けたものである。
【００２２】
また、本発明の換気口は、本体部にフィルター取付け部を設けたものである。
【発明の効果】
【００２３】
本発明の換気口によれば、開口調節をパネル部と本体部の開口距離よりも小さいストロークで操作できる換気口を提供することができる。
【００２４】
また、パネル部はレバーを押す操作により、多段階に開閉する換気口とすることができ、さらに、全開の状態、または、全閉の状態のいずれからでも半開の状態に調節が可能となる。
【発明を実施するための最良の形態】
【００２５】
本発明の請求項１に記載の換気口は、室内と室外を連通する通風路を形成する筒状の本体部と、前記本体部の前面開口部に前後方向移動自在に配設され、この前面開口部を開閉するパネル部とを有し、前記パネル部の裏面に回動自在に略円柱状の回転体を設け、前記回転体をその内部に回転自在に、かつ前後方向移動自在に支持し、下方に突設するレバーを一体的に設けた回転支持部を前後方向移動自在に設け、前記回転支持部を弾性部材により常に前記パネル部側に移動するように付勢した換気口において、前記回転支持部の内周面に第１の係合突部と第２の係合突部を設け、前記回転体の外周部に、前記レバーを前後方向に移動操作することよる前記回転支持部の前後方向の移動にともなって、前記第１および第２の係合突部に係合し、前記回転体を前後方向に移動または回転あるいは所定位置に保持する係合凹部を設け、前記回転体と前記回転支持部との係合位置は、前記パネル部の前記前面開口部全開時が全閉時より前記回転体が回転支持部に対して、前記パネル部側に移動した位置となることを特徴としたものであり、回転体と回転支持部との係合位置は、パネル部の全開時には全閉時より回転体が回転支持部に対して、パネル部側に移動した位置となり、この移動した分、パネル部の開口距離よりレバーの開閉ストロークが小さくなるという作用を有する。
【００２６】
本発明の請求項４に記載の換気口は、回転体は、回転支持部によって回動を阻止された連結部材を介して回動自在にパネル部に連結されているものであり、開口調節でレバーを押す動作により、回転体は回転をしながら前後方向に稼動するが、パネル部は回転せずに前後方向に連動することができるという作用を有する。
【００２７】
本発明の請求項６に記載の換気口は、パネル部はレバーを押す操作により、多段階に開閉するものであり、換気風量を多段階に調節できるという作用を有する。
【００２８】
本発明の請求項７に記載の換気口は、パネル部の開閉動作は、全開、半開、全閉、半開、全開の順になされるものであり、全開の状態、全閉の状態のいずれからでも半開の状態に調節が可能となるという作用を有する。
【００２９】
以下、本発明の実施の形態１について、図１〜図１２を参照しながら説明する。
【００３０】
（実施の形態１）
図１〜図４に示すように、室内と室外を連通する換気風路を形成するダクト（図示せず）の室内側開口端部に嵌挿する筒状で筒内を通風路１とし、前部にはフランジ部２を設けた本体部３と、本体部３の前面に前後方向移動自在に配設されるパネル部４とを有し、パネル部４の裏面に着脱自在に連結部材５を設け、連結部材５には回動自在に略円柱状の回転体６が連結されている。回転体６は、円筒状の回転支持部７内に回動自在かつ前後方向移動自在に設けられ、回転支持部７は、本体部３の通風路１の下部に前後方向に形成された筒部８内に収納される。また、回転支持部７は、円筒を水平方向に２分割してそれぞれ略半円筒状に形成される上部回転支持部９と下部回転支持部１０とからなり、下部回転支持部１０は筒部８内に固定され、上部回転支持部９は下部回転支持部１０に対して前後方向に摺動自在に構成されている。また、上部回転支持部９は、下方に向けてレバー１１が一体に設けられ、このレバー１１を前後方向に移動させることによって上部回転支持部９を前後方向に移動させる。一方、下部回転支持部１０の前端部にはレバー１１を囲む形状でレバー１１の回動を阻止するとともに、前方への移動距離を規制する保持部１２設けている。また、回転体６は、下部回転支持部１０に固定された弾性部材１３によって、常にパネル部４側に移動するように付勢されている。また、連結部材５は、後方に向けて突設した突部１４を上部回転支持部９に形成した凹部１５に係合させて、回動しないように構成されている。
【００３１】
そして、上部回転支持部９の内周面に、反パネル部４側に互いに交差する方向に傾斜状の面１６、１７を形成した第１の係合突部１８を設け、下部回転支持部１０の内周面に、パネル部４側と反パネル部４側に傾斜状の面１９、２０を形成した第２の係合突部２１を設けている。一方、回転体６の外周部に、上部回転支持部９の前後方向の移動にともなって、第１の係合突部１８に係合する軸方向に直交する面２２と互いに交差する方向に傾斜状の面２３、２４を形成した第１の係合凹部２５と、下部回転支持部１０の第２の係合突部２１に係合し、回転体６を前後方向に移動または回転あるいは所定位置に固定させる反パネル部４側に傾斜状の面２６、２７と、パネル部４側に軸方向に直交する面２８と傾斜状の面２９、３０を形成した第２の係合凹部３１を設けている。
【００３２】
パネル部４の裏面の端部には全閉時の隙間をなくす弾性パッキン３２が貼付されている。
【００３３】
上記構成において、パネル部４が全開位置の状態から閉じる場合の作用について説明する。
【００３４】
図４に示す全開の状態において、レバー１１を押して上部回転支持部９の第１の係合突部１８により回転体６を押し込んでいくと、図５に示すように、第２の係合凹部３１の傾斜状の面２６と第２の係合突部２１の傾斜状の面１９とが当接し、さらに回転体６が押し込まれていくと、図６に示すように、上記傾斜状の面２６と傾斜状の面１９とが係合するとともに第１の係合凹部２５の傾斜状の面２３と第１の係合突部１８の傾斜状の面１６とが係合して、回転体６は回転しながら進んでいく。そして、図７に示すように、レバー１１を押しきりレバー１１を離すと、図８に示すように、弾性部材１３の弾性力によって回転体６はパネル部４側にわずかに押し返されるが、第２の係合突部２１の傾斜状の面２０と第２の係合凹部３１の傾斜状の面２９とが係合して回転体６が回動し、図９に示すように、第２の係合突部２１が第２の係合凹部３１の軸方向に直交する面２８に係合して回転体６の位置が保持され、パネル部４は全閉の状態となる。
【００３５】
次に、パネル部４を全閉の状態から開く場合の作用について説明する。
【００３６】
図９に示す全閉の状態において、レバー１１を下部回転支持部１０に当接する位置までわずかに押すと、回転体６は上部回転支持部９の第１の係合突部１８によって押し込まれ、図１０に示すように、第２の係合突部２１が第２の係合凹部３１の軸方向に直交する面２８から離れるとともに、第２の係合突部２１が第２の係合凹部３１の傾斜状の面２７に係合して回転体６は回転し、レバー１１を押す指を離すと、図１１に示すように、第２の係合突部２１の傾斜状の面２０と第２の係合凹部３１の傾斜状の面３０とが係合して回転体６が回転し始める。回転体６が回転し始めることで、第１の係合突部１８が第１の係合凹部２５の軸方向に直交する面２２との係合から傾斜状の面２４との係合に移っていき、図１２に示すように、第１の係合突部１８の傾斜状の面１７と第１の係合凹部２５の傾斜状の面２４との係合、および、第２の係合突部２１の傾斜状の面２０と第２の係合凹部３１の傾斜状の面３０との係合によって、回転体６は回転しながらパネル部４側に押し返される。そして、図４に示すようにレバー１１は下部回転支持部１０の保持部１２に当接して移動が停止し、回転体６は第１の係合凹部２５の傾斜状の面２３と２４との交差部と第１の係合突部１８とが係合する位置に保持され、パネル部４は全開の状態となる。
【００３７】
このように、上部回転支持部９の第１の係合突部１８と回転体６の第１の係合凹部２５との係合位置は、パネル部４の全開時には全閉時より回転体６が上部回転支持部９に対して、パネル部４側に移動した位置となり、この移動した分、パネル部４の本体部３からの開口距離よりレバー１１の開閉動作ストロークを小さくすることができることとなる。
【００３８】
このように本発明の実施の形態１の換気口によれば、室内と室外を連通する通風路１を形成する筒状の本体部３と、本体部３の前面開口部に前後方向移動自在に配設され、この前面開口部を開閉するパネル部４とを有し、パネル部４の裏面に回動自在に略円柱状の回転体６を設け、回転体６をその内部に回転自在に、かつ前後方向移動自在に支持し、下方に突設するレバー１１を一体的に設けた回転支持部７を前後方向移動自在に設け、回転支持部７を弾性部材１３により常にパネル部４側に移動するように付勢した換気口において、回転支持部７の内周面に第１の係合突部１８と第２の係合突部２１を設け、回転体６の外周部に、レバー１１を前後方向に移動操作することよる回転支持部７の前後方向の移動にともなって、第１の係合突部１８および第２の係合突部２１に係合し、回転体６を前後方向に移動または回転あるいは所定位置に保持する第１の係合凹部２５を設け、回転体６と回転支持部７との係合位置は、パネル部４の前面開口部全開時が全閉時より回転体６が回転支持部７に対して、パネル部４側に移動した位置となる構成としたので、開口調節をパネル部と本体部の開口距離よりも小さいストロークで操作できることとなる。
【００３９】
また、回転支持部７は、内筒を水平方向に２分割して、略半円筒状に形成される形状の上部回転支持部９と下部回転支持部１０とからなり、本体部３に筒部８を設けて、この筒部８内に下部回転支持部１０を固定し、上部回転支持部９を下部回転支持部１０に対し、前後方向移動自在に設けた構成とすることで、室内に設置された本体部３をはずすことなく、本体部３内の部品をはずすことができることとなり、メンテナンスを容易にすることができる。
【００４０】
また、筒部８は本体部３内の通風路１の下方に設けた構成とすることで、通風の抵抗を減らすことができる。
【００４１】
また、回転体６は連結部材５を介して回動自在にパネル部４に連結されている構成とすることで、パネル部４の形状は円形のみではなく角形にもでき、パネル部の選択性が得られる。
【００４２】
また、パネル部４を連結部材５に対し、着脱自在とした構成とすることで、パネル部４の清掃性、本体部３内のメンテナンスを容易にすることができる。
【００４３】
以下、本発明の実施の形態２について、図１３〜図２８を参照しながら説明する。
【００４４】
（実施の形態２）
図１３および図１４に示すように、回転体６Ａの外周部に、上部回転支持部９の前後方向の移動にともなって、第１の係合突部１８に係合する軸方向に直交する面２２Ａと互いに交差する方向に傾斜状の面２３Ａ、２４Ａを形成した第１の係合凹部２５Ａと、下部回転支持部１０の第２の係合突部２１に係合し、回転体６Ａを前後方向に移動または回転あるいは所定位置に固定させる反パネル部４側に傾斜状の面２６Ａ、３３、２７Ａ、３４とパネル部４側に軸方向に直交する面３５、２８Ａ、３６と傾斜状の面３７、２９Ａ、３８、３０Ａ、を形成した第２の係合凹部３１Ａを設けている。
【００４５】
上記構成において、パネル部４が全開位置の状態から半開の状態に移る場合の作用について説明する。
【００４６】
図１４に示す全開の状態において、レバー１１を押して上部回転支持部９の第１の係合突部１８により回転体６Ａを押し込んでいくと、図１５に示すように、第２の係合凹部３１Ａの傾斜状の面２６Ａと第２の係合突部２１の傾斜状の面１９とが当接し、さらに回転体６Ａが押し込まれていくと、図１６に示すように、上記傾斜状の面２６Ａと傾斜状の面１９とが係合するとともに第１の係合凹部２５Ａの傾斜状の面２３Ａと第１の係合突部１８の傾斜状の面１６とが係合して、回転体６Ａは回転しながら進んでいく。そして、レバー１１を押しきりレバー１１を離すと、図１７に示すように、弾性部材１３の弾性力によって回転体６Ａはパネル部４側に押し返され、第２の係合凹部３１Ａの傾斜状の面３７と第２の係合突部２１の傾斜状の面２０とが当接する。さらに、弾性部材１３の弾性力によって回転しながら押し返され、第１の係合突部１８が第１の係合凹部２５Ａの傾斜状の面２３Ａとの係合から軸方向に直交する面２２Ａとの係合に移っていく。図１８に示すように、弾性部材１３の弾性力によって、第２の係合突部２１の傾斜状の面２０と第２の係合凹部３１Ａの傾斜状の面３７とが係合して回転体６Ａが回動し、第２の係合突部２１が第２の係合凹部３１Ａの軸方向に直交する面３５に係合して回転体６Ａの位置が保持され、パネル部４は半開の状態となる。
【００４７】
次に、パネル部４を半開の状態から全閉の状態に移る場合の作用について説明する。
【００４８】
図１８に示す半開の状態において、レバー１１を押して上部回転支持部９の第１の係合突部１８により回転体６Ａを押し込んでいくと、図１９に示すように、第２の係合凹部３１Ａの傾斜状の面３３と第２の係合突部２１の傾斜状の面１９とが当接する。レバー１１を下部回転支持部１０に当接する位置までさらに回転体６Ａが押し込まれていくと、図２０に示すように、上記傾斜状の面３３と傾斜状の面１９とが係合する。図２１に示すように、レバー１１を押しきりレバー１１を離すと、弾性部材１３の弾性力によって回転体６Ａはパネル部４側に押し返され、第２の係合凹部３１Ａの傾斜状の面２９Ａと第２の係合突部２１の傾斜状の面１９とが当接する。さらに、弾性部材１３の弾性力によって回転しながら押し返され、図２２に示すように、第２の係合突部２１が第２の係合凹部３１Ａの軸方向に直交する面２８Ａに係合して回転体６Ａの位置が保持され、パネル部４は全閉の状態となる。
【００４９】
次に、パネル部４を全閉の状態から半開の状態に移る場合の作用について説明する。
【００５０】
図２２に示す全閉の状態において、レバー１１を下部回転支持部１０に当接する位置までわずかに押すと、回転体６Ａは上部回転支持部９の第１の係合突部１８によって押し込まれ、図２３に示すように、第２の係合突部２１が第２の係合凹部３１Ａの軸方向に直交する面２８Ａから離れるとともに、第２の係合突部２１が第２の係合凹部３１Ａの傾斜状の面２７Ａに係合して回転体６Ａは回転し、レバー１１を押す指を離すと、図２４に示すように、弾性部材１３の弾性力によって回転体６Ａはパネル部４側に押し返され、第２の係合凹部３１Ａの傾斜状の面３８と第２の係合突部２１の傾斜状の面２０とが当接する。さらに、弾性部材１３の弾性力によって回転しながら押し返され、図２５に示すように、弾性部材１３の弾性力によって、第２の係合突部２１の傾斜状の面２０と第２の係合凹部３１Ａの傾斜状の面３８とが係合して回転体６Ａが回動し、第２の係合突部２１が第２の係合凹部３１Ａの軸方向に直交する面３６に係合して回転体６Ａの位置が保持され、パネル部４は半開の状態となる。
【００５１】
次に、パネル部４を半開の状態から開く場合の作用について説明する。
【００５２】
図２５に示す半開の状態において、レバー１１を押して上部回転支持部９の第１の係合突部１８により回転体６Ａを押し込んでいくと、回転体６Ａは上部回転支持部９の第１の係合突部１８によって押し込まれ、図２６に示すように、第２の係合突部２１が第２の係合凹部３１Ａの軸方向に直交する面３６から離れるとともに、第２の係合突部２１が第２の係合凹部３１Ａの傾斜状の面３４に係合して回転体６Ａは回転する。回転体６Ａが回転し始めることで、第１の係合突部１８が第１の係合凹部２５Ａの軸方向に直交する面２２Ａとの係合から傾斜状の面２４Ａとの係合に移っていき、図２７に示すように、弾性部材１３の弾性力によって回転体６Ａはパネル部４側に押し返され、第２の係合凹部３１Ａの傾斜状の面３０Ａと第２の係合突部２１の傾斜状の面２０とが当接する。図２８に示すように、第１の係合突部１８の傾斜状の面１７と第１の係合凹部２５Ａの傾斜状の面２４Ａとの係合、および、第２の係合突部２１の傾斜状の面２０と第２の係合凹部３１Ａの傾斜状の面３０Ａとの係合によって、回転体６は回転しながらパネル部４側に押し返される。そして、図１４に示すようにレバー１１は下部回転支持部１０の保持部１２に当接して移動が停止し、回転体６Ａは第１の係合凹部２５Ａの傾斜状の面２３Ａと２４Ａとの交差部と第１の係合突部１８とが係合する位置に保持され、パネル部４は全開の状態となる。
【００５３】
このように本発明の実施の形態２の換気口によれば、回転体６Ａの外周部に、上部回転支持部９の前後方向の移動にともなって、第１の係合突部１８に係合する軸方向に垂直の面２２Ａと傾斜状の面２３Ａ、２４Ａを備えた第１の係合凹部２５Ａと、下部回転支持部１０の第２の係合突部２１に係合し、回転体６Ａを前後方向に移動または回転あるいは所定位置に固定させる反パネル部４側に傾斜状の面２６Ａ、３３、２７Ａ、３４とパネル部４側に軸方向に直交する面３５、２８Ａ、３６と傾斜状の面３７、２９Ａ、３８、３０Ａ、を形成した第２の係合凹部３１Ａを設けた構成とすることにより、パネル部はレバーを押す操作により、多段階に開放することができることとなり、多段階の換気風量の調節ができる。
【００５４】
また、パネル部の開放動作は、全開、半開、全閉、半開、全開の順に開放されることができることとなり、全開の状態、、全閉の状態のいずれからでも半開の状態に調節が可能となる。
【００５５】
以下、本発明の実施の形態３について、図２９を参照しながら説明する。
【００５６】
（実施の形態３）
図２９に示すように、本体部３Ｂの通風路１Ｂ内の下方に設けた筒部８Ｂと、レバー（図示せず）を一体的に設けた回転支持部（図示せず）の外周部の覆う第１の遮蔽部４０と、この遮蔽部４０に開口の下部４１を遮蔽する第１の気流遮蔽部４２を一体に設け、筒部８Ｂに前後方向移動自在に係合する。パネル部４Ｂの裏面に、第１の遮蔽部４０に係合する第２の遮蔽部４３と、第１の気流遮蔽部４２に係合する開口の下部４１を遮蔽する第２の気流遮蔽部４４を設けた構成とする。
【００５７】
上記構成により、開口を調節する機構部分を空気の流路から隔離することができることとなり、また、室内への空気の流入が開口の上部と側部になり、開口の下部からは直接流れ込まないこととなる。
【００５８】
このように本発明の実施の形態３の換気口によれば、本体部３Ｂの筒部８Ｂと、レバーを一体的に設けた回転支持部の外周部を囲う前後方向移動自在に係合する遮蔽部４０と、遮蔽部４０と係合する遮蔽部４３をパネル部４Ｂに設けた構成とすることで、開口を調節する機構部分を空気の流路から隔離することができることとなり、空気に含まれる埃や粉塵による機構部分の不具合を低減することができる。
【００５９】
また、パネル部４Ｂと本体部３Ｂの開口の下部４１に気流遮蔽部４２、４４を設けた構成とすることにより、室内への空気の流入が開口の上部と側部になり、開口の下部からは直接流れ込まない。
【００６０】
このことにより、冬季の冷たい空気は開口の下部から流入がなくなり、人体におよぼす冷風感を低減することができる。
【００６１】
また、本体部３Ｂにレバーを一体的に設けた回転支持部の外周部を囲う遮蔽部４０とパネル部４Ｂと本体部３Ｂの開口下面４１に設けた気流遮蔽部４２を一体にし、パネル部４Ｂに設けた遮蔽部４３をパネル部と本体部の開口下部４１に設けた気流遮蔽部４４を一体にした構成とすることにより、部品点数を減らして、空気に含まれる埃や粉塵による機構部分の不具合を低減することができ、また、人体におよぼす冷風感を低減することができる。
【００６２】
以下、本発明の実施の形態４について、図３０〜図３２を参照しながら説明する。
【００６３】
（実施の形態４）
図３０〜図３２に示すように、パネル部４Ｃの裏面の端部５０に凸部５１を設け、本体部３Ｃの前面の開口端部５２に、パネル部４Ｃの凸部５１に嵌合する凹部５３を設けた構成とする。
【００６４】
上記構成において、全閉の状態において、パネル部４Ｃの凸部５１と本体部３Ｃの凹部５３が嵌合する。
【００６５】
このことにより、全閉の状態での密閉性を向上させることができる。
【００６６】
このように本発明の実施の形態４の換気口によれば、パネル部４Ｃの裏面の端部５０と本体部３Ｃ正面の開口端部５２を凹凸に嵌合する構成とすることにより、全閉の状態での密閉性を向上させることができ、空気に含まれる埃や粉塵による機構部分の不具合を低減することができる。また、冬季の冷たい空気は開口の下部から流入がなくなり、人体におよぼす冷風感を低減することができる。
【００６７】
以下、本発明の実施の形態５について、図３３を参照しながら説明する。
【００６８】
（実施の形態５）
図３３に示すように、パネル部４Ｄの裏面に風向板６０を設ける。
【００６９】
上記構成において、開口が開いた状態において、開口から流入する空気は風向板６０の向きに合わせて流入する。
【００７０】
このことにより、風向板を設けることで、開口から流入する空気の向きを調節することができる。
【００７１】
このように本発明の実施の形態５の換気口によれば、パネル部４Ｄの裏面に風向板６０を設ける構成とすることにより、開口から流入する空気の向きを調節することができる。
【００７２】
以下、本発明の実施の形態６について、図３５〜図３６を参照しながら説明する。
【００７３】
（実施の形態６）
図３４〜図３５に示すように、本体部３Ｅの通風路１Ｅに、フィルター受け部７０とこのフィルター受け部７０に係合するフィルター押さえ部７１を有したフィルター取付け部７２を設けた構成とする。
【００７４】
上記構成において、フィルター受け部７０の中に不織布フィルターや活性炭フィルター等の挿入し、フィルター押さえ部７１により固定する。このフィルター取付け部７２を本体部３Ｅの通風路１Ｅに取付けることで、用途に応じたフィルターを取付けることが可能となる。
このことにより、用途に応じた外気処理をして取り入れることができる。
【００７５】
このように本発明の実施の形態６の換気口によれば、本体部３Ｅの通風路１Ｅに、フィルター取付け部７２を設ける構成とすることにより、用途に応じたフィルターを取付けることが可能となり、用途に応じた外気処理をして取り入れることができる。
【産業上の利用可能性】
【００７６】
本発明の換気口は、室内側と室外側を連通するように天井面、壁面に設けられるダクトに装着され、開口調節が容易にでき、また、メンテナンスしやすい室内を換気する換気口にとして有用である。
【図面の簡単な説明】
【００７７】
【図１】本発明の実施の形態１の換気口の構成を示す斜視図
【図２】同換気口の調節機構の構成を示す斜視図
【図３】同換気口の回転体を示す斜視図
【図４】同換気口の調節機構を示す側面図
【図５】同換気口の調節機構を示す側面図
【図６】同換気口の調節機構を示す側面図
【図７】同換気口の調節機構を示す側面図
【図８】同換気口の調節機構を示す側面図
【図９】同換気口の調節機構を示す側面図
【図１０】同換気口の調節機構を示す側面図
【図１１】同換気口の調節機構を示す側面図
【図１２】同換気口の調節機構を示す側面図
【図１３】本発明の実施の形態２の換気口の回転体を示す斜視図
【図１４】同換気口の調節機構を示す側面図
【図１５】同換気口の調節機構を示す側面図
【図１６】同換気口の調節機構を示す側面図
【図１７】同換気口の調節機構を示す側面図
【図１８】同換気口の調節機構を示す側面図
【図１９】同換気口の調節機構を示す側面図
【図２０】同換気口の調節機構を示す側面図
【図２１】同換気口の調節機構を示す側面図
【図２２】同換気口の調節機構を示す側面図
【図２３】同換気口の調節機構を示す側面図
【図２４】同換気口の調節機構を示す側面図
【図２５】同換気口の調節機構を示す側面図
【図２６】同換気口の調節機構を示す側面図
【図２７】同換気口の調節機構を示す側面図
【図２８】同換気口の調節機構を示す側面図
【図２９】本発明の実施の形態３の換気口を示す斜視断面図
【図３０】本発明の実施の形態４の換気口の本体部を示す斜視図
【図３１】同換気口のパネル部を示す斜視図
【図３２】同換気口を示す断面図
【図３３】本発明の実施の形態５の換気口を示す斜視断面図
【図３４】本発明の実施の形態６の換気口のフィルター取付け部を示す斜視図
【図３５】同換気口を示す斜視図
【図３６】従来の換気口の構成を示す斜視図
【符号の説明】
【００７８】
１    通風路
１Ｂ  通風路
３、３Ｂ、３Ｃ、３Ｅ  本体部
４、４Ｂ、４Ｃ、４Ｄ  パネル部
５    連結部材
６、６Ａ  回転体
７    回転支持部
８    筒部
９    上部回転支持部
１０  下部回転支持部
１１  レバー
１３  弾性部材
１４  突部
１５  凹部
１８  第１の係合突部
２１  第２の係合突部
２５、２５Ａ  第１の係合凹部
３１、３１Ａ  第２の係合凹部
４０  第１の遮蔽部
４２  第１の気流遮蔽部
４３  第２の遮蔽部
４４  第２の気流遮蔽部
５１  凸部
５３  凹部
６０  風向板
７２  フィルター取付け部
【図１】
2005282985.tif 000003
【図２】
2005282985.tif 000004
【図３】
2005282985.tif 000005
【図４】
2005282985.tif 000006
【図５】
2005282985.tif 000007
【図６】
2005282985.tif 000008
【図７】
2005282985.tif 000009
【図８】
2005282985.tif 000010
【図９】
2005282985.tif 000011
【図１０】
2005282985.tif 000012
【図１１】
2005282985.tif 000013
【図１２】
2005282985.tif 000014
【図１３】
2005282985.tif 000015
【図１４】
2005282985.tif 000016
【図１５】
2005282985.tif 000017
【図１６】
2005282985.tif 000018
【図１７】
2005282985.tif 000019
【図１８】
2005282985.tif 000020
【図１９】
2005282985.tif 000021
【図２０】
2005282985.tif 000022
【図２１】
2005282985.tif 000023
【図２２】
2005282985.tif 000024
【図２３】
2005282985.tif 000025
【図２４】
2005282985.tif 000026
【図２５】
2005282985.tif 000027
【図２６】
2005282985.tif 000028
【図２７】
2005282985.tif 000029
【図２８】
2005282985.tif 000030
【図２９】
2005282985.tif 000031
【図３０】
2005282985.tif 000032
【図３１】
2005282985.tif 000033
【図３２】
2005282985.tif 000034
【図３３】
2005282985.tif 000035
【図３４】
2005282985.tif 000036
【図３５】
2005282985.tif 000037
【図３６】
2005282985.tif 000038